(57)【要約】【解決手段】パイプ３１の外周部に挿嵌されてパイプ３１の外周部に当てがわれるパイプガイド９を内周部に有するとともに外周部には大歯車２６を有する回転リング１を備えている。カッター支持体５は回転リング１及びパイプガイド９とともに回転し得る。固定ブラケット２２においては、回転リング１を吊下して支持するリングガイド２３を設けている。回転リング１がカッター支持体５及びパイプガイド９とともに回転してパイプガイド９がパイプ３１の外周部を移動しながら、駆動回転軸２４の回転により小歯車２５と大歯車２６とを介してカッター支持体５及びパイプガイド９とともに回転する回転リング１の一回転毎に、回転体１５が間欠駆動部２７により間欠回転し、刃体１８が半径方向へ移動してパイプ３１を切り込んで切断する。【効果】コンパクトな構造のパイプ切断装置によりパイプ３１の切断作業を簡単にすることができる。【選択図】図１
2010115747.tif 000002
【特許請求の範囲】
【請求項１】
パイプの外周部に挿嵌されてパイプの外周部に当てがわれるパイプガイドを内周部に有するとともに外周部には回転方向全体で大歯車を有する回転リングを備え、
その回転リングに取着されて回転リングの回転中心線を中心に回転リング及びパイプガイドとともに回転し得るカッター支持体には、刃体をこの回転リングの回転中心線に対する半径方向へ移動可能に支持するとともに、回転体を回転可能に支持し、この回転体の回転によりこの刃体を回転リングの回転中心線に対する半径方向へ移動させる連動部を設け、
前記回転リングをその回転中心線を中心に回転可能に吊下して支持するリングガイドを設けた固定ブラケットには、駆動回転軸を回転可能に支持するとともに、この駆動回転軸により回転する小歯車を支持して前記回転リングの大歯車に噛合し、駆動回転軸の回転により小歯車と大歯車とを介して前記カッター支持体及びパイプガイドとともに回転する回転リングの一回転毎にカッター支持体が固定ブラケットのリングガイドを通過する際にこのカッター支持体の回転体を間欠回転させる間欠駆動部を設け、
前記回転リングがカッター支持体及びパイプガイドとともに回転してパイプガイドがパイプの外周部を移動しながら回転体が間欠駆動部により間欠回転し、刃体が連動部により半径方向へ移動してパイプを切り込んで切断する
ことを特徴とするパイプ切断装置。
【請求項２】
前記リングガイドは回転リングの内周部を着脱可能に載せて吊下支持することを特徴とする請求項１に記載のパイプ切断装置。
【請求項３】
前記回転リングにおいてパイプガイドを支持したガイド支持体を回転リングの回転中心線に対する半径方向へ移動可能にする調節手段を設けたことを特徴とする請求項１または請求項２に記載のパイプ切断装置。
【請求項４】
前記カッター支持体を刃体と回転体と連動部とともに回転リングの回転中心線に対する半径方向へ移動可能にする調節手段を設けたことを特徴とする請求項１または請求項２または請求項３に記載のパイプ切断装置。
【請求項５】
前記回転リングにおける周方向の一部にはパイプを挿脱可能に開くとともに環状に閉じることができる開閉可能な挿脱口を設けていることを特徴とする請求項１から請求項４のうちいずれか一つの請求項に記載のパイプ切断装置。
【請求項６】
前記固定ブラケットにはパイプの外周に当てがわれる固定支持体を回転リングの回転中心線に対する半径方向へ移動可能に設けたことを特徴とする請求項１から請求項５のうちいずれか一つの請求項に記載のパイプ切断装置。
【発明の詳細な説明】
【技術分野】
【０００１】
本発明は例えば樹脂パイプを切断する際に利用するパイプ切断装置に関するものである。
【背景技術】
【０００２】
従来、この種のパイプ切断装置においては、把持部に設けられた二又状の腕部の内側に挿入したパイプの外周部に当てがうガイド部と円形刃体とが略１８０度間隔で設けられ、把持部に設けられた摘みにより円形刃体をパイプに切り込みながらパイプに対し腕部を回動させてパイプを切断していた。
【発明の開示】
【発明が解決しようとする課題】
【０００３】
このような手動操作によるパイプ切断装置では、腕部の回動操作や摘みによる切込操作が大変面倒であった。
この発明は、パイプの切断作業を簡単にするパイプ切断装置を提供することを目的としている。
【課題を解決するための手段】
【０００４】
後記実施形態の図面（図１〜３）の符号を援用して本発明を説明する。
請求項１の発明にかかるパイプ切断装置は下記のように構成されている。
パイプ３１の外周部に挿嵌されてパイプ３１の外周部に当てがわれるパイプガイド９を内周部に有するとともに外周部には回転方向の全体で大歯車２６を有する回転リング１を備えている。その回転リング１に取着されて回転リング１の回転中心線８を中心に回転リング１及びパイプガイド９とともに回転し得るカッター支持体５には、刃体１８をこの回転リング１の回転中心線８に対する半径方向へ移動可能に支持するとともに、回転体１５を回転可能に支持し、この回転体１５の回転によりこの刃体１８を回転リング１の回転中心線８に対する半径方向へ移動させる連動部１６，１７を設けている。前記回転リング１をその回転中心線８を中心に回転可能に吊下して支持するリングガイド２３を設けた固定ブラケット２２には、駆動回転軸２４を回転可能に支持するとともに、この駆動回転軸２４により回転する小歯車２５を支持して前記回転リング１の大歯車２６に噛合し、駆動回転軸２４の回転により小歯車２５と大歯車２６とを介してカッター支持体５及びパイプガイド９とともに回転する回転リング１の一回転毎にカッター支持体５が固定ブラケット２２のリングガイド２３を通過する際にこのカッター支持体５の回転体１５を間欠回転させる間欠駆動部２７を設けている。前記回転リング１がカッター支持体５及びパイプガイド９とともに回転してパイプガイド９がパイプ３１の外周部を移動しながら回転体１５が間欠駆動部２７により間欠回転し、刃体１８が連動部１６，１７により半径方向へ移動してパイプ３１を切り込んで切断する。例えば、この回転リング１において複数または一つのパイプガイド９と一つのカッター支持体５とは回転リング１の回転方向で分離配置されている。
【０００５】
請求項１の発明では、小歯車２５と大歯車２６との噛合により駆動回転軸２４の回転を回転リング１に対し伝動し、回転リング１の一回転毎に間欠駆動部２７により間欠回転する回転体１５により半径方向へ移動する刃体１８がパイプ３１を切り込んで切断することができる。その際、パイプガイド９により回転リング１をパイプ３１の外周部に沿って安定的に案内することができる。また、固定ブラケット２２に回転リング１をリングガイド２３により吊下して支持するので、固定ブラケット２２と回転リング１とが上下に分かれてパイプ切断装置をコンパクトな構造にすることができる。
【０００６】
請求項１の発明を前提とする請求項２の発明において、前記リングガイド２３は回転リング１の内周部を着脱可能に載せて吊下支持する。請求項２の発明では、回転リング１の内周部をリングガイド２３に対し単に載せて着脱するだけであるため、固定ブラケット２２に対し回転リング１を必要に応じて着脱したり交換したりする作業を簡単に行うことができ、そのような着脱構造でもリングガイド２３により回転リング１をパイプガイド９と相俟って安定的に案内することができる。
【０００７】
請求項１または請求項２の発明を前提とする請求項３の発明にかかる回転リング１において、前記パイプガイド９を支持したガイド支持体６を回転リング１の回転中心線８に対する半径方向へ移動可能にする調節手段１０を設けている。請求項３の発明では、パイプ３１のサイズ変化に応じてパイプガイド９を半径方向へ移動させることにより回転リング１をパイプ３１の外周部に沿って安定的に案内することができる。
【０００８】
請求項１または請求項２または請求項３の発明を前提とする請求項４の発明において、前記カッター支持体５を刃体１８と回転体１５と連動部１６，１７とともに回転リング１の回転中心線８に対する半径方向へ移動可能にする調節手段１９を設けている。請求項４の発明では、パイプ３１のサイズ変化に応じてカッター支持体５を半径方向へ移動させることにより刃体１８をパイプ３１の外周部に接触させて刃体１８による切込基準位置を回転体１５を回転させることなく設定することができる。
【０００９】
請求項１から請求項４のうちいずれか一つの請求項の発明を前提とする請求項５の発明において、前記回転リング１における周方向の一部にはパイプ３１を挿脱可能に開くとともに環状に閉じることができる開閉可能な挿脱口３を設けている。請求項４の発明では、パイプ３１を回転リング１に対し挿脱口３から容易に挿脱することができる。
【００１０】
請求項１から請求項５のうちいずれか一つの請求項の発明を前提とする請求項６の発明において、前記固定ブラケット２２にはパイプ３１の外周部に当てがわれる固定支持体２８を回転リング１の回転中心線８に対する半径方向へ移動可能に設けている。請求項６の発明では、パイプ３１のサイズ変化に応じて固定支持体２８を半径方向へ移動させることによりパイプ３１を安定的に支持することができる。
【発明の効果】
【００１１】
本発明は、コンパクトな構造のパイプ切断装置によりパイプ３１の切断作業を簡単にすることができる。
【発明を実施するための最良の形態】
【００１２】
以下、本発明の一実施形態にかかるパイプ切断装置について図１〜３を参照して説明する。
回転リング１においては、半円弧状に延びる一対のリング片１ａ，１ｂの周方向両端部のうち、一方のリング片１ａの一端部と他方のリング片１ｂの一端部とがヒンジ２により支軸２ａを中心に回動可能に連結されているとともに、一方のリング片１ａの他端部と他方のリング片１ｂの他端部とが挿脱口３で止めピン４により周方向へ開閉可能に連結されている。図示しないが、この止めピン４は、リング片１ｂの他端部側で圧縮コイルばねにより付勢されて支持され、リング片１ａの他端部側に形成された係止孔に対し係脱可能になっており、この止めピン４が係止孔から圧縮コイルばねの弾性力に抗して離脱されると、環状の回転リング１を挿脱口３で周方向へ開くことができ、この止めピン４が係止孔に対し圧縮コイルばねの弾性力により係入されると、回転リング１を挿脱口３で周方向へ環状に閉じることができるようになっている。
【００１３】
環状に閉じられた回転リング１の両リング片１ａ，１ｂうち、一方のリング片１ａにはカッター支持体５が周方向両端部間中央で取り付けられ、他方のリング片１ｂには複数（一対）のガイド支持体６が周方向両端部に対し略等角度をなすように互いに分離配置されるとともにカッター支持体５に対し分離配置されて取り付けられ、カッター支持体５に対する一方のガイド支持体６の周方向角度と他方のガイド支持体６の周方向角度とが互いに略等しくなっている。
【００１４】
前記両ガイド支持体６において、可動体７の外側には回転リング１の内周部側で回転リング１の回転中心線８の方向の両側に配置されたパイプガイドローラ９がその回転中心線８に沿う軸心９ａを中心に回動可能に支持され、このガイド支持体６を回転リング１の回転中心線８に対する半径方向へ移動可能にする雌雄ねじ機構による調節手段１０が設けられている。この調節手段１０においては、可動体７を半径方向へ案内するレール１１が回転リング１に設けられ、可動体７で半径方向へ延設された案内孔１２に調節ねじ１３が挿入されて回転リング１に螺着されている。この調節ねじ１３を可動体７に対し締め付けると、ガイド支持体６が回転リング１に位置決めされ、この調節ねじ１３を可動体７に対し緩めると、ガイド支持体６を案内孔１２に沿って半径方向へ移動調節することができる。なお、図示しないが、可動体７とレール１１との間には位置調節のための目盛が付されている。
【００１５】
前記カッター支持体５において、可動体１４の外側には回転体としてのゴムタイヤ１５が回転リング１の回転中心線８を通る軸心１５ａを中心に回転可能に支持され、この可動体１４内にはこのゴムタイヤ１５の軸心１５ａ上で連動部としての雄ねじ部１６が設けられているとともにその軸心１５ａに沿って移動可能に支持された連動部としての雌ねじ部１７が設けられてこの雄ねじ部１６と螺合され、この可動体１４の外側で円形状の刃体１８がこの雌ねじ部１７に対し回転リング１の回転中心線８に沿う軸心１８ａを中心にフリー回転可能に支持されてパイプ当て板１４ａから突出している。このゴムタイヤ１５が回転すると、刃体１８が雄ねじ部１６及び雌ねじ部１７を介して回転リング１の回転中心線８に対する半径方向へ移動する。この可動体１４を刃体１８とゴムタイヤ１５と雄ねじ部１６及び雌ねじ部１７とともに回転リング１の回転中心線８に対する半径方向へ移動可能にする雌雄ねじ機構による調節手段１９が設けられている。この調節手段１９においては、可動体１４で半径方向へ延設された一対の案内孔２０に調節ねじ２１が挿入されて回転リング１に螺着されている。この調節ねじ２１を可動体１４に対し締め付けると、カッター支持体５が回転リング１に位置決めされ、この調節ねじ２１を可動体１４に対し緩めると、カッター支持体５を両案内孔２０に沿って半径方向へ移動調節することができる。
【００１６】
固定ブラケット２２においては、回転リング１をその回転中心線８を中心に回転可能に吊下支持するリングガイド２３が設けられている。このリングガイド２３においては、回転リング１の内周部が着脱可能に載せられる載置部２３ａと、回転リング１の回転中心線８に沿う方向でこの載置部２３ａの両側に形成された両側壁部２３ｂとを有する溝部が回転リング１の回転方向へ円弧状に延設されている。この固定ブラケット２２においては、図示しない電動モータに連結された駆動回転軸２４が軸心２４ａを中心に回転可能に支持されているとともに、図示しないかさ歯車列を介してこの駆動回転軸２４により軸心２５ａを中心に回転する小歯車２５が支持されて、その小歯車２５が前記回転リング１の外周部に形成された大歯車２６に噛合されている。この駆動回転軸２４の回転により小歯車２５と大歯車２６とを介して回転リング１が前記カッター支持体５及び両ガイド支持体６とともに回転する。この固定ブラケット２２には、このカッター支持体５がこの固定ブラケット２２を回転リング１の一回転毎に通過する際、このカッター支持体５のゴムタイヤ１５と接触してそのゴムタイヤ１５を間欠回転させる板状の間欠駆動部２７が設けられている。また、この固定ブラケット２２には、雌雄ねじ機構による調節手段として、一対のパイプ当接部２８ａを有する板状の固定支持体２８が一対の案内孔２９に沿って回転リング１の回転中心線８に対する半径方向へ移動可能に設けられ、両案内孔２９に挿入された止めねじ３０により固定支持体２８が位置決めされるようになっている。
【００１７】
さて、切断前においては、環状の回転リング１を挿脱口３の開閉により固定パイプ３１の外周部に挿嵌して固定ブラケット２２のリングガイド２３に吊下支持するとともに、両ガイド支持体６で調節手段１０により固定パイプ３１のサイズに対応する目盛に合わせてパイプガイドローラ９を位置調節して固定パイプ３１の外周部に当てがい、その後に固定ブラケット２２で固定支持体２８を位置調節してその両パイプ当接部２８ａを固定パイプ３１の外周部に当てがう。さらに、カッター支持体５の刃体１８をゴムタイヤ１５の回転と調節手段１９により位置調節して固定パイプ３１の外周部に当てがう。そのセット状態から、固定ブラケット２２で駆動回転軸２４が回転すると、小歯車２５及び大歯車２６を介して回転リング１がカッター支持体５及び両ガイド支持体６とともに回転してパイプガイドローラ９が固定パイプ３１の外周部を移動しながらゴムタイヤ１５が間欠駆動部２７により間欠回転し、刃体１８が雄ねじ部１６及び雌ねじ部１７より半径方向へ移動して固定パイプ３１を切り込んで切断する。
【００１８】
本実施形態は下記の効果を有する。
＊  固定ブラケット２２の駆動回転軸２４の回転を固定ブラケット２２の小歯車２５と回転リング１の大歯車２６との噛合により回転リング１に対し確実に伝動し、回転リング１の一回転毎に固定ブラケット２２の間欠駆動部２７により間欠回転するカッター支持体５のゴムタイヤ１５により刃体１８が半径方向へ移動して固定パイプ３１を切り込んで切断することができる。従って、固定パイプ３１の切断作業を簡単にすることができる。
【００１９】
＊  固定パイプ３１に対する切断作業時、両ガイド支持体６のパイプガイドローラ９により回転リング１を固定パイプ３１の外周部に沿って安定的に案内することができる。
＊  固定ブラケット２２に対し回転リング１をリングガイド２３により吊下して支持するので、固定ブラケット２２と回転リング１とが上下に分かれてパイプ切断装置をコンパクトな構造にすることができる。
【００２０】
＊  回転リング１の内周部をリングガイド２３に対し単に載せて着脱するだけであるため、固定ブラケット２２に対し回転リング１を必要に応じて着脱したり交換したりする作業を簡単に行うことができる。そのような着脱構造でもリングガイド２３により回転リング１をパイプガイドローラ９と相俟って安定的に案内することができる。
【００２１】
前記実施形態以外にも例えば下記のように構成してもよい。
・  固定ブラケット２２の駆動回転軸２４を手動ハンドルにより回動させてもよい。
・  パイプガイドローラ９を有するガイド支持体６を回転リング１に一つのみ設ける。
【図面の簡単な説明】
【００２２】
【図１】本実施形態にかかるパイプ切断装置において使用状態を示す正面図である。
【図２】同じく別の使用状態を示す正面図である。
【図３】図２のＡ−Ａ線で切断して見た一部切欠き側面図である。
【符号の説明】
【００２３】
１…回転リング、３…回転リングの挿脱口、５…カッター支持体、６…ガイド支持体、８…回転リングの回転中心線、９…ガイド支持体のパイプガイドローラ、１０…ガイド支持体の調節手段、１５…カッター支持体の回転体としてのゴムタイヤ、１６…カッター支持体の連動部としての雄ねじ部、１７…カッター支持体の連動部としての雌ねじ部、１８…カッター支持体の刃体、１９…カッター支持体の調節手段、２２…固定ブラケット、２３…固定ブラケットのリングガイド、２４…固定ブラケットの駆動回転軸、２５…固定ブラケットの小歯車、２６…回転リングの大歯車、２７…固定ブラケットの間欠駆動部、２８…固定ブラケットの固定支持体、３１…固定パイプ。
【図１】
2010115747.tif 000003
【図２】
2010115747.tif 000004
【図３】
2010115747.tif 000005